(57)【要約】      （修正有）【課題】災害被災地等における避難場所の屋外または、室内において、仮設住居用に使用される紙材からなる折りたたみ可能な建築物を提供する。【解決手段】紙材からなる床台２上に紙材の側壁部と屋根部５を有する建築部材を載置した紙材からなる建築物１であって、前記床台は、折りたたみ可能な紙材からなる帯状の外枠と、該外枠内に、折りたたみ可能な紙材からなる支持部材を配置した台部材を、前記建築物の床面積に対応する数を配置し、更に前記床台上に床板を載置することにより解決した。【選択図】図１
2010189984.tif 000002
【特許請求の範囲】
【請求項１】
紙材からなる床台上に紙材の側壁部と屋根部を有する建築部材を載置した紙材からなる建築物であって、前記床台は、帯状の紙材からなる折りたたみ可能な外枠と、該外枠内に、折りたたみ可能な紙材からなる支持部材を配置した台部材を、前記建築部材の床面積に対応する数を配置したことを特徴とする紙製建築物。
【請求項２】
前記床台は、更に外側を合成樹脂製のシートで被覆したことを特徴とする請求項1に記載の紙製建築物。
【請求項３】
前記床台上に、更に床板を載置したことを特徴とする請求項１又は２に記載の紙製建築物。
【発明の詳細な説明】
【技術分野】
【０００１】
本発明は、仮設の建築物に関するものであり、災害発生時等の非常時において、避難場所となる屋外、屋内において仮設居住用に使用される紙製建築物に関するものである。
【背景技術】
【０００２】
地震、台風、火事等の災害発生時において、被災者の避難場所として、被災地近隣の学校、公民館、体育館等の公共施設が使用される。災害被災地の避難場所では、多くの近隣住民が二次災害を避けるために避難し、一時的に同じ空間で共同生活を送っている。
しかし、体育館などの広い空間に設けられる避難場所では、その空間を区切る間仕切りもないため、避難している各世帯が同様の生活を送るにも、周囲の音、視線等を意識せねばならない。そのため、精神的なストレスが溜まりやすくなり、体調を壊す健康に影響を受ける場合も少なくない。このような影響を防ぐためには、避難生活においては、その期間の長さにかかわらず、個々のプライバシーを確保する居住空間を提供することが重要となる。
【０００３】
災害被災地における避難場所での居住空間については、衝立てなどを設けることによって、前記居住空間の改善が図られることもあるが、特に、被災地における避難所生活が長期化する場合、自治体によって仮設住宅が建築される。
この仮設住宅には主にプレハブ住宅が採用され、短期間で建築される。被災者は仮設住宅へ入居することによって、居住空間の確保がなされている。
しかし、仮設住宅の建築においては、建物の土台となる基礎部分の工事が必要であるため、仮設住宅の規模によっては、仮設住宅建築に必要となる建設重機械を被災地に持ち込んでの、長期間の建築期間が必要な場合がある。
更に、繰返し使用されたプレハブ住宅の資材を組合せることによって、資材の劣化が顕著に現れ、室内の居住性が低下する場合がある。
また、仮設住宅の建築には、建築条件、敷地面積等の制約から十分な住宅戸数が困難なこともある。
【０００４】
一方、災害被災地の復旧後、一定期間を経て仮設住宅の利用が終了した場合には、仮設住宅は撤去される。その場合、仮設住宅の土台となる基礎部分の撤去をはじめとして、仮設住宅建設前の状態への現状復帰が行われる。
これらの撤去作業では、仮設住宅の建築に使用された資材で使用可能なものは再利用に回されるが、撤去で生じた資材の一部には再利用できず、廃棄物となってしまうものがある。
特に、近年の環境問題への関心の高まりもあり、廃棄物処分は重要であり、建築資材の廃棄物発生が可能な限り少ないこと、組立て・解体作業の負荷が少ないこと、建築資材の再利用、再生可能なことが必要な性能として求められている。
そのため、組立て・解体を簡便に行うことができ、かつ、用いられる素材の再利用、再生が可能な紙材が関心を集めている。
【０００５】
前記の問題を解決するため、災害被災地の避難場所における仮設住宅の建築で、様々な検討がなされている。例えば、特許文献１に示されるように、段ボール製の横向きにした断面が三角形状の筒状体の一端に側壁を設け、他端を開口したものの開口端同士を嵌合させて、その状態で前記筒状体の双方を摺動させることで居住空間を得る非常用仮小屋がある。この仮小屋は、室外に設置した場合、利用者の体重により段ボールが潰れて段ボール自体が有する中空構造が崩れた状態で地面と段ボールの底部が直に接触するため、断熱性に問題が生じる場合がある。
また、前記課題を解決するため、特許文献２においては、予め整地されたコンクリートを流し込んで形成された基礎部に板状の段ボールを所定形状に敷設する。この建築物は、基礎部にコンクリートを用いて建築を行なっているため、建築する仮設住宅数の規模によっては、必要戸数の仮設住宅を簡便に建築することが難しい。
更に、特許文献３では、柱材に木材、鉄骨等が用いられており、少数の人員で短時間の簡易住宅の建築を行なうためには、習熟した技能が必要であると共に、危険も伴うため、簡便な建築を行なうことは難しい。
【先行技術文献】
【特許文献】
【０００６】
【特許文献１】特開２００１−２１４５１９号公報
【特許文献２】特開２００７−３０８９５５号公報
【特許文献３】実登第３１４０７０４号公報
【発明の概要】
【発明が解決しようとする課題】
【０００７】
本発明は、以上のような問題点を解決するためになされたものであり、災害被災地等における避難場所の屋外、または室内において、仮住居用に使用される紙材からなる折りたたみ可能な建築物を提供することにある。
【課題を解決するための手段】
【０００８】
請求項１に記載の発明に係る紙製建築物は、紙材からなる床台上に紙材の側壁部と屋根部を有する建築部材を載置した紙材からなる建築物であって、前記床台は、折りたたみ可能な紙材からなる帯状の外枠と、該外枠内に、折りたたみ可能な紙材からなる支持部材を配置した台部材を前記建築部材の床面積に対応する数を配置したことを特徴とする。
【０００９】
請求項２に記載の発明に係る紙製建築物は、前記床台が、更に外側を合成樹脂製のシートで被覆したことを特徴とする。
【００１０】
請求項３に記載の発明に係る紙製建築物は、前記床台上に、更に床板を載置したことを特徴とする。
【発明の効果】
【００１１】
請求項１記載の発明によれば、前記紙製建築物の床台は帯状の紙材からなる折りたたみ可能な外枠と、該外枠内に折りたたみ可能な紙材からなる支持部材を配置した台部材から構成される。そのため、前記床台は前記紙製建築物を建築して使用している時以外には、前記外枠と前記支持部材とに分離された状態で保管可能となり、建築場所への建築部材搬送時には、部材の容積を低減させた形態に収納し、省スペース化を図ることができる。
そして、前記外枠への前記支持部材の組み込みは、前記支持部材同士を相互に組み合わることによって、前記外枠を内部で支持して、前記床台の水平方向の変形を防ぐだけでなく、前記床台部の垂直方向の強度を高めることができる。
更に、前記紙製建築物は、地面に前記床部が設置され、その上部に紙材の側壁部と屋根部を有する建築部材を載置した紙材建築物であるため、前記床部と地面の間に空気層を挟む構造となる。そのため、床材が地面に直接接触する場合と比較して、断熱効果があり、保温性が高くなる。
また、前記床台は前記台部を建築部材の床面積に対応する数を配置することにより、建築物の床面積や、土地形状に合せて必要となる前記台部を複数用意して、適宜組み合わせることで床台を形成することができ、簡便に建築物の基礎となる部分を形成することができる。
つまり、建築作業の簡便化と共に、建築物の建築期間の短縮が可能となる。
【００１２】
請求項２に記載の発明によれば、前記床部は、多数配置された床部材を合成樹脂製シートで被覆した構成としたので、配置した床部材が整列した状態を保つことができる。
また、床部の外側を合成樹脂製シートで被覆した構成となるので、雨水による悪影響を防ぐことができ、安定した状態を保つことができる。
【００１３】
請求項３に記載の発明によれば、前記紙製建築物は、前記床台上に床板を載置して構成される。つまり、前記紙製建築物において、前記複数の台部から構成される前記床台は台部の設置される場所によって、凹凸が生じやすい。また、複数の前記台部からなる前記床部はそれらの結合状態によっては、前期台部間に隙間が生じて、前記紙製建築物内部の断熱性が低下し、保温効果を低下させてしまう。そのため、前記床台上に更に床板を載置し、床となる部分を均一の高さにして居住空間を確保するだけでなく、外気の進入を遮断することで室内の断熱性を維持して、仮設住宅としての紙製建築物の居住性を向上させることができる。
【図面の簡単な説明】
【００１４】
【図１】本発明の実施例に係る紙製建築物の外観を示す説明図。
【図２】本発明の実施例に係る紙製建築物の台部の外枠を示す説明図。
【図３】本発明の実施例に係る紙製建築物の台部の支持部材を示す説明図。
【図４】本発明の実施例に係る紙製建築物の台部の外観図を示す説明図。
【図５】本発明の実施例に係る紙製建築物の複数の台部で構成される床台の外観を示す説明図。
【発明を実施するための形態】
【００１５】
図1は本発明に係る紙製建築物の外観図である。図1に示されるように本発明の実施の形態に係る紙製建築物１は、紙材からなる床台２上に紙材の側壁部３と屋根部４を有する建築部材を載置した紙材の建築物である。
前記床台２は、図2に示す、帯状の紙材からなり、折りたたみ可能な外枠２Ａと、図3に示す折りたたみ可能な紙材からなる支持部材２Ｂを配置した台部材２Ｃ（図4参照）を、多数配置した構成である。
ここで、前記台部材２Ｃは例えば図5に示すように前記紙製建築物の床面積に対応する面積となる数を配置することにより床台2を構成する。
そして、図5に示す床台2の外周を、ポリエチレン、ポリプロピレン等の合成樹脂製フィルムで被覆することにより、多数配置された床部材が整列した状態を保つことができるようにすることが好ましい。
【００１６】
前記紙製建築物は、紙材を主体とする材料で構成された、床台、側壁部及び屋根部からなり、具体的には、段ボール、樹脂含浸紙、樹脂被覆紙のような強度、剛性、耐水性を有する紙製材料を用いることができる。また、前記紙製建築物は、その表面を塗料で着色塗装してもよい。
次に、床台2を構成する支持部材２Ｂは、図4に示す、井桁状だけでなく、亀甲状としてもよい。
また、前記床板は、前述のような紙製材料だけでなく、断熱性材料を用いることにより、より居住性を良好なものとなる。
【００１７】
外枠２Ａは、折りたたみ可能な帯状の紙材から形成されており、端部は凸部２Ｄと、他端には該凸部２Ｄが挿入される切込み部２Ｅが形成されている。前記外枠２Ａは、帯状の紙材を数箇所折り曲げ、切込み部２Ｅに凸部２Ｄを挿入し、任意の多角形形状の外枠が形成される。
なお、外枠を用いて形成される多角形には様々なものが適用でき、その形状は限定されるものではないが、形成しやすさ、取り扱いやすさから、立方体形状、三角柱形状を組み合わせて適用することができる。
【００１８】
前記床部２は、前記紙製建築物１の床面積に対応する数の前記台部２Ｃが縦方向、横方向共に適宜配置された後、該台部２Ｃの面同士を結合する。該台部２Ｃの結合は、台部２Ｃの利用後の再利用を考慮し、粘着材を用いて接着せず、面ファスナーなどを適用し、台部２Ｃの結合状態を維持して、取り外しや再結合可能な手段を選択することが好ましい。
また、床台２は外枠２Ａの内側と支持部材２Ｂで形成される空間部分がある。この部分は、床台の支持に必要な部分であるが、紙製建築物の基礎部分を更に安定化させるため、床台２底部に板状の紙材を敷き、前記空間部分の一定部分を空隙として確保した上で、水分を含まない乾燥した砂、砂利等の重量物を充填したり、収納部分として利用しても問題はない。
【００１９】
次に、前記床部２上に紙材の柱部を載置、固定した後、柱部に側壁となる部分を差し込む。そして、前記側壁部が形成された部分の上部に屋根部を載置、固定し、前記床部の上部に、床板を載置することで複数の床台からなる床部を平坦な面とした紙製建築物となる。
また、必要に応じて側壁部に出入口、窓の他、換気口等を設置することができ、各々の部材を取り付けることが可能である。
【実施例】
【００２０】
幅３０ｃｍ、長さ２１０ｃｍ（うち凸部１０ｃｍ）、厚さ１ｃｍの帯状の段ボール材からなる外枠２Ａは、帯状の紙材の長さ方向に対して、凸部２Ｄが形成されていない端部から５０ｃｍごとの位置で４箇所折り曲げ、切込み部２Ｅに凸部２Ｄを挿入、形成した。（図２参照）
そして、段ボール材からなる支持部材２Ｂに切り込み部分（図示なし）を設け、前記支持部材２Ｂ同士を相互に組み合わせて井桁形状にして、前記外枠２Ａに組み込んで、台部材２Ｃ（縦５０ｃｍ、横５０ｃｍ、高さ３０ｃｍ）を、紙製建築物の建築用地３ｍ×３ｍの床面積に必要となる個数３６個を形成した。（図４参照）
【００２１】
次に、紙製建築物の建築用地に対して、面ファスナーを外枠２Ａに縁取るように貼付した台部材２Ｃを縦５０ｃｍ、横５０ｃｍの面を建築用地に向けて６個×６個並べた後、相互に面ファスナーを押し付けて、密着し、結合させた。
その後、床部２上部に、縦１．５ｍ×横１．５ｍ×厚さ１ｃｍの段ボール材からなる床板を載置、繋いだ後、テープで貼り合せることで複数の床台からなる平坦な面の床部２が形成された。（図５参照）
【００２２】
更に、床部２の角部の台部材に紙材の柱部３を差し込み、固定した後、柱部に側壁４となる部分を差し込み、前記側壁部が形成された部分の上部に屋根部５を載置、固定した。
そして、側壁部の切り欠きに透明樹脂フィルムからなる窓材を窓部６に貼り付け、ドア部７には段ボール材からなるドアをはめ込み、図１に示すような紙製建築物１が完成した。
【００２３】
紙製建築物１を１ヶ月使用した後、建築と逆の手順で、屋根部、側壁部、柱部を取り外した後、床部を連結している台部相互を取り外し、外枠からその内部に収納した支持部材を取り出した後、折りたたみ、各部材の保管を行った。
【００２４】
更に、保管していた部材を用いて前記の同様の紙製建築物の建築を行ない、１ヶ月間利用した。繰返しの使用によって、屋根部、側壁部、床部の欠損が生じることなく、雨漏り等の発生がないことを確認した。
建築１ヶ月後、紙製住宅を建築と逆手順で床部、側壁部、屋根部の順序で紙製建築物１を取り壊し、各部材を折りたたみ、繰返して利用できることが確認された。
【産業上の利用可能性】
【００２５】
本発明の紙製建築物は、災害被災地等における避難場所の屋外、または室内において、仮住居用に使用される紙材からなる折りたたみ可能な建築物を提供することが可能になる。
また、本発明の紙製建築物の建築には、特別な技能は必要なく、組立て・解体を簡便に行うことができる。
そして、用いられる各部材の繰返し利用が可能なため、建築部材によって発生する廃棄物を可能な限り低減することができる。
【符号の説明】
【００２６】
１    紙製建築物
２    床台
２Ａ  外枠
２Ｂ  支持部材
２Ｃ  台部
２Ｄ  凸部
２Ｅ  切込み部
３    柱部
４    床板
５    屋根部
６    窓部
７    ドア部
【図１】
2010189984.tif 000003
【図２】
2010189984.tif 000004
【図３】
2010189984.tif 000005
【図４】
2010189984.tif 000006
【図５】
2010189984.tif 000007